(57)【要約】【課題】除湿水を受けるドレンパンを容易にメンテナンスできるようにした洗濯乾燥機を提供する。【解決手段】洗濯手段と乾燥手段を有し、前記乾燥手段は、衣類を収容した槽体内に空気を循環供給するための送風手段および循環ダクトと、ヒートポンプ機構とを備え、前記ヒートポンプ機構は、圧縮機から循環供給される冷媒を受けて前記循環ダクトの通風路中に配置されて循環空気を加熱する凝縮器および循環空気中から除湿する蒸発器からなる熱交換器を具備した構成にあって、前記ヒートポンプ機構の前記圧縮機や熱交換器を収容するヒートポンプケースを設けるとともに、前記熱交換器で生じた除湿水を受けるドレンパンを前記ヒートポンプケースに対し水平方向に着脱可能に設けた構成とする。【選択図】図１
2014150997.tif 000002
【特許請求の範囲】
【請求項１】
機器本体内に衣類の洗濯および乾燥を行う洗濯手段と乾燥手段を有し、前記乾燥手段は、衣類を収容した槽体内に空気を循環供給するための送風手段および循環ダクトと、ヒートポンプ機構とを備え、前記ヒートポンプ機構は、圧縮機から循環供給される冷媒を受けて前記循環ダクトの通風路中に配置されて循環空気を加熱する凝縮器および循環空気中から除湿する蒸発器からなる熱交換器を具備した構成にあって、
前記ヒートポンプ機構の前記圧縮機や熱交換器を収容するヒートポンプケースを設けるとともに、前記熱交換器で生じた除湿水を受けるドレンパンを前記ヒートポンプケースに対し水平方向に着脱可能に設けたことを特徴とする洗濯乾燥機。
【請求項２】
ドレンパンは、ヒートポンプケースに対しスライド移動により着脱可能としたことを特徴とする請求項１記載の洗濯乾燥機。
【請求項３】
ドレンパン内の除湿水を排出するドレンポンプと吸込み管を備え、前記ドレンポンプをヒートポンプケース側に配置する一方、前記吸込み管をドレンパン側に配置した構成にあって、前記吸込み管は前記ドレンポンプ側と分離可能に連結する構成としたことを特徴とする請求項１または２記載の洗濯乾燥機。
【請求項４】
ドレンパン内の除湿水を排出するドレンポンプを、前記ドレンパン側に配置する構成としたことを特徴とする請求項１または２記載の洗濯乾燥機。
【請求項５】
機器本体内に衣類の洗濯および乾燥を行う洗濯手段と乾燥手段を有し、前記乾燥手段は、衣類を収容した槽体内に空気を循環供給するための送風手段および循環ダクトと、ヒートポンプ機構とを備え、前記ヒートポンプ機構は、圧縮機から循環供給される冷媒を受けて前記循環ダクトの通風路中に配置されて循環空気を加熱する凝縮器および循環空気中から除湿する蒸発器からなる熱交換器を具備した構成にあって、
前記ヒートポンプ機構の熱交換器を機器本体内の後方に配置するとともに、前記熱交換器で生じた除湿水を受けるドレンパンを機器本体の前方に配置したことを特徴とする洗濯乾燥機。
【発明の詳細な説明】
【技術分野】
【０００１】
本発明の実施形態は、ヒートポンプ機構を備えた洗濯乾燥機に関する。
【背景技術】
【０００２】
従来、衣類を洗浄する洗濯手段および洗浄後の衣類を乾燥する乾燥手段を備えた洗濯乾燥機において、乾燥手段として空気を加熱する手段にヒートポンプ機構を採用し、加熱した空気を温風として衣類を収容するドラム等の槽体内に循環供給する構成としている。このようなヒートポンプ機構は、電気ヒータによる加熱手段に比べて低い温度で乾燥できることから、衣類の傷みが少なく、しかも消費電力量も少ないなどの利点を有することから多く採用され、しかも加熱前の空気中（乾燥時の排気中）から湿気を除湿する機能を有し効率よく加熱できる点でも有効としている。
【０００３】
このヒートポンプ機構（冷凍サイクル）は、具体的にはヒートポンプ機構を構成する凝縮器で空気を加熱し、蒸発器では空気中の湿気を除湿する、つまり熱交換器として機能する。このため、蒸発器で除湿した際に生じる水（以下「除湿水」という）を外部に排出すべく、上記熱交換器の下方に貯水可能なドレンパンを設け、一時貯留した後の除湿水をドレンポンプで外部に排出可能としている（例えば、特許文献１参照）。
【０００４】
しかしながら、ドレンパン内の除湿水は長期間滞留した場合には、使用する水質や洗剤、空気中のほこりなど悪条件が重なるとスライム状（粘液化）に変質することがあり、この場合ドレンポンプでの排出が困難となる。すなわち、洗濯乾燥機では洗濯運転および乾燥運転を通して洗剤カスや糸屑などのリントのゴミが生じ、そのうちの一部の微細なゴミが乾燥運転時に循環ダクトの通風路中に配置されたフィルタ装置を通り抜け、除湿水とともにドレンパン内に滞留することになる。この場合、ゴミなどがドレンポンプのポンプ詰まりの原因となり、あるいはゴミがドレンパン内底部に堆積してスライム化し、除湿水を貯留できないなどの排水異常を招く要因となる。
【０００５】
このため、長期使用においては随時ドレンパンの点検修理や清掃が容易にできることが望ましい。ところが、ドレンパンは上記の如く蒸発器などの熱交換器には不可欠であることから、これらをヒートポンプ機構と一体化したユニット構成としていて、ドレンパンを単独に取り出すなどしてメンテナンスを行なうことは困難であった。さらには、ヒートポンプ機構はスペースの有効活用等の観点から機器本体の後方底部（奥側）に配置されるケースが多いことからも、メンテナンスが容易にできない要因ともなっていた。
【先行技術文献】
【特許文献】
【０００６】
【特許文献１】特開２０１０−３５６８５号公報
【発明の概要】
【発明が解決しようとする課題】
【０００７】
そこで、除湿水を受けるドレンパンを容易にメンテナンスできるようにした洗濯乾燥機を提供する。
【課題を解決するための手段】
【０００８】
本実施形態の洗濯乾燥機によれば、洗濯手段と乾燥手段を有し、前記乾燥手段は、衣類を収容した槽体内に空気を循環供給するための送風手段および循環ダクトと、ヒートポンプ機構とを備え、前記ヒートポンプ機構は、圧縮機から循環供給される冷媒を受けて前記循環ダクトの通風路中に配置されて循環空気を加熱する凝縮器および循環空気中から除湿する蒸発器からなる熱交換器を具備した構成にあって、前記ヒートポンプ機構の前記圧縮機や熱交換器を収容するヒートポンプケースを設けるとともに、前記熱交換器で生じた除湿水を受けるドレンパンを前記ヒートポンプケースに対し水平方向に着脱可能に設けた構成とする（請求項１の発明）。
【図面の簡単な説明】
【０００９】
【図１】第１の実施形態のヒートポンプ機構の熱交換部分を拡大して示す断面図
【図２】第１の実施形態を示すドレンパンの斜視図
【図３】第１の実施形態のドラム式の洗濯乾燥機の概略構成および冷凍サイクルの構成を模試的に示す背面図
【図４】第１の実施形態のドラム式の洗濯乾燥機の概略構成を示す右側面図
【図５】第１の実施形態の吸込み管の分離可能な連結部分の変形例を示す断面図
【図６】第２の実施形態を示す図１相当図
【図７】第２の実施形態のドレンポンプの電気的接続構造を示す図
【図８】第３の実施形態を示す図４相当図
【発明を実施するための形態】
【００１０】
（第１の実施形態）
以下、ドラム式の洗濯乾燥機に適用した第１の実施形態につき、図１から図４を参照して説明する。まず、図３および図４に示すドラム式の洗濯乾燥機の概略構成につき述べると、洗濯乾燥機の外郭を形成する箱状の機器本体１は、洗濯乾燥機の正面である前面部は、図４に示すように若干傾斜した上半部に開閉可能な扉２を設け、後述する槽体３への衣類の出し入れを可能としている。また、同前面部の下部に着脱可能な前カバー１ａを設けており、例えばその上端部を嵌め込み、下端部をネジ止めして機器本体１を形成するとともに、外部正面から容易に着脱操作できる構成としている。なお、前カバー１ａを取り外した場合、ほぼ前カバー１ａの面積に相当する開口部２６が機器本体１の前面下部に形成される。
【００１１】
前記槽体３について述べると、本実施形態における槽体３は機器本体１内に弾性的に支持された水槽４およびドラム５とから構成される。具体的には、ドラム５は横軸周りに回転可能に支持され衣類を収容する円筒状をなし周壁に多数の透孔を有する、一方、水槽４はドラム５の外周囲に設けられ実質的に無孔状で貯水可能な円筒状をなすとともに、乾燥運転時には後述する循環ダクト６を介して温風を給排可能な構成としている。
【００１２】
水槽４の背面には、ドラム５を駆動するモータ７が設けられている。モータ７は、例えばアウターロータ形で直流のブラシレスモータからなるもので、洗い、脱水、乾燥等の各運転に応じてドラム５を所定の回転方向および回転速度で回転駆動する。
【００１３】
ここで、前記循環ダクト６の具体構成につき述べると、本実施形態では図示するように循環ダクト６は、槽体３の背面側から温風を供給する給気ダクト８と、槽体３の前方上部から温風を排出する排気ダクト９と、この排気ダクト９の他端である下端側を伸縮可能で柔軟性を有する継手６ａ（図３参照）を介して機器本体１の底部側に配置された熱交換ダクト１０の一端に接続している。この熱交換ダクト１０の他端には、送風手段としての送風装置１１が配置され、この送風装置１１は前記給気ダクト８と上記同様の柔軟性を有する継手６ｂを介して連通接続され、もって弾性的に支持された槽体３を介在して閉鎖された連続した通風路を形成する循環ダクト６が構成される。
【００１４】
上記熱交換ダクト１０は、機器本体１内の後方底部に配置されたヒートポンプ機構１２を構成する凝縮器１３および蒸発器１４を構成するフィンチューブを介在した構成としている。このヒートポンプ機構１２は、図３中に図示する構成を利用して冷凍サイクルを模式的に示すように、冷媒を圧縮して破線矢印で示す方向に吐出する圧縮機１５、高温高圧の冷媒を放熱して凝縮する凝縮器１３、高圧冷媒を減圧する膨張弁１６、減圧された冷媒を蒸発させて吸熱する蒸発器１４を順に経て圧縮機１５に至る回路構成からなる。
【００１５】
斯かる構成のヒートポンプ機構１２は、その圧縮機１５、凝縮器１３、蒸発器１４等を収容して一体構成（ユニット化）とするヒートポンプケース１８を設けている。このヒートポンプケース１８は、少なくとも凝縮器１３および蒸発器１４を覆う構成としていて、上記熱交換ダクト１０と連接し、その一部を兼ねた構成としている。
【００１６】
これにより、熱交換ダクト１０を流れる空気は、凝縮器１３の熱交換作用により加熱され、また蒸発器１４では冷却されることになり、これら凝縮器１３および蒸発器１４は空気との間で熱交換を行なう、所謂熱交換器１７として機能する。従って、詳細は後述するが乾燥運転時には、空気に対し凝縮器１３では加熱されて温風となり、蒸発器１４では冷却作用を受けて湿気が結露し水滴となって滴下し、つまり除湿される。
【００１７】
そこで、熱交換器１７の下方には上記除湿水の排水手段を設けている。すなわち、除湿水を受けて一時的に貯留可能な矩形皿状をなすドレンパン１９を配置するとともに、このドレンパン１９内の水を外部に排出するドレンポンプ２０（図４参照）を設けている（詳細は後述する）。除湿水は、本来蒸発器１４にて生じるのであるが、例えば蒸発器１４の水滴が空気流に乗って凝縮器１３に付着したり、非運転時などに温度変化に伴い凝縮器１３にも結露することも考えられることから、本実施形態では熱交換器１７を構成する凝縮器１３および蒸発器１４の両者の下方に位置して、いずれからも滴下する水滴を受けられるようにドレンパン１９を配置している。
【００１８】
そのほか、図３，４中に示す実線矢印は、乾燥運転時における循環ダクト６および槽体３を経由する空気（温風）の流れを示すとともに、排気ダクト９の通風路中に位置してフィルタ装置２１が設けられ、このフィルタ装置２１により乾燥運転時に槽体３から排出された空気（温風）中に含まれる糸屑などのリントを捕獲収集する。
【００１９】
次に、上記した除湿水の排水手段の詳細について、図１および図２を参照して説明する。そのうち図１は、ヒートポンプ機構１２の一部を正面側から見た拡大断面図で、熱交換器１７を覆うヒートポンプケース１８は、例えば底部１８ａと上部の覆い部１８ｂとから構成され、その内部空間の通風路中に熱交換器１７が配置された形態となる。その底部１８ａには、凝縮器１３と蒸発器１４とを若干離間して並置可能な凹所２２を形成するとともに、この凹所２２にはメッシュ状の多数の小孔からなる通水孔２３を形成している。
【００２０】
そして、上記凹所２２の通水孔２３を下方から覆うようにして前記ドレンパン１９を着脱可能に設けている。その着脱構造について具体的に述べると、ヒートポンプケース１８の底部１８ａにおいて、凹所２２の左右両側部に断面コ字状をなすレール部２４を互に対向する位置に形成していて、このレール部２４にドレンパン１９の左右の各フランジ部２５が洗濯乾燥機の正面から見て前後方向にスライド移動可能に挿入され支持されており、図２中に示す矢印方向に移動可能としている。
【００２１】
上記ドレンパン１９は、特に図２の斜視図に示すように矩形皿状となす底部１９ａは、例えば図示左方に下降傾斜する傾斜面をなし、その左端部に最深部１９ｂを形成している。このドレンパン１９の上面開放端部は、左右両側部のフランジ部２５に対し後方の奥側の開放端部は、切欠部２７が形成され、この切欠部２７はドレンパン１９の図示矢印方向のスライド移動時に前記凹所２２と当接するのを回避する形状としている。一方、開放端部の前方側には指で掴むことができる把持部３１を前方に延出して形成している。
【００２２】
図１において上記ドレンパン１９に対し、その最深部１９ｂ側の近傍に位置するヒートポンプケース１８（底部１８ａ）に前記ドレンポンプ２０を配設している。具体的には、ドレンパン１９には、一端を最深部１９ｂ側に臨み他端が左側壁を貫通して外方に導出されたＬ字状の吸込み管２８を保持している。この吸込み管２８は、ドレンポンプ１９の吸込み側に接続されるもので、本実施形態ではドレンポンプ１９側に設けられた吸込み管２９と接続可能としている。
【００２３】
例えば、ドレンパン１９がヒートポンプケース１８の所定位置に収容されているとき、両吸込み管２８，２９の開口端部が近接位置で対向するよう位置設定してあり、この両端部間を跨いでチューブ管３０が水密に被嵌され連結している。すなわち、チューブ管３０はゴムなどの弾性材からなり、予め両吸込み管２８，２９のいずれか一方に被嵌しておき、他方が対向する所定位置にきたときチューブ管３０を移動させることで両吸込み管２８，２９を水密に連結することができ、つまり分離可能に連結した構成としている。
【００２４】
次に、上記構成のドラム式の洗濯乾燥機の作用について述べる。
本実施形態の横軸周りのドラム５および水槽４からなる槽体３を備えた洗濯乾燥機では、周知のように洗い、すすぎ、脱水などを実行する洗濯運転と、衣類を乾燥する乾燥運転を実行可能としているが、いずれも図示しない制御装置等に基づき、ドラム５を夫々適正な回転速度にて駆動制御するなどの洗濯手段および乾燥手段を備えている。そのうちの、乾燥手段では温風を生成するヒートポンプ機構１２や温風を槽体３内に循環供給する循環ダクト６等を具備した構成として乾燥運転を可能としており、以下にその乾燥運転について詳述する。
【００２５】
乾燥運転がスタートすると、図示しない制御装置はモータ７を駆動しドラム５を低速回転制御する。同時に、図３に示すようにヒートポンプ機構１２の圧縮機１５や送風装置１１を通電駆動する。この結果、扉２により外部と遮断され実質的に閉鎖された空間をなす水槽４からなる槽体３を介して接続された循環ダクト６には、図中実線矢印で示す方向の空気流が生じ、従って前記したように熱交換ダクト１０に配置の凝縮器１３により加熱された空気は送風装置１１により温風化され、給気ダクト８を経て槽体３内に供給される。
【００２６】
温風は、図４に示すように具体的には水槽４およびドラム５の背面側から供給され、回転するドラム５内に収容された図示しない衣類と温風との接触が行われ乾燥作用が実行される。このようにして、衣類などから湿気成分を奪うなど乾燥作用に寄与した温風は、ドラム５および水槽４から排出され排気風として水槽４の前方上部から排気ダクト９側に排出される。この排気ダクト９には、フィルタ装置２１が配置してあるので、排気中に含まれる糸屑などのリントが捕獲収集された後、温風は熱交換ダクト１０側に送られる。
【００２７】
この熱交換ダクト１０では、特に図１に明示するように矢印方向に流れる湿気を含んだ温風は、ヒートポンプ機構１２の蒸発器１４により冷却除湿され、除湿後の乾いた空気として下流側の凝縮器１３に流入し、ここで再び加熱されて温風化される。このように温風の再生、および槽体３への温風の供給が繰り返し行われ、つまり外部に温風が排気されることなく循環供給されることで衣類などの被乾燥物の乾燥作用が効果的に促進される。
【００２８】
この乾燥運転中において、ドレンポンプ１１が所定時間駆動される。すなわち、蒸発器１４により除湿した除湿水はメッシュ状の通水孔２３を経て下方のドレンパン１９内に一時的に貯留され、その後にドレンポンプ１１が駆動され、除湿水を吸込み管２８，２９を介してドレンポンプ１１が吸入し、そして図示しない排水管路を経て外部に排出される。
【００２９】
しかしながら、背景事情として述べたように長期使用において、ドレンパン１９内の除湿水が長期間滞留して変質したり、洗濯運転および乾燥運転を通して洗剤カスや糸屑などのリントのゴミが生じ、そのうちフィルタ装置２１を通り抜けた一部の微細なゴミが除湿水とともにドレンパン１９内に滞留するなどにより、ドレンポンプ２０のポンプ詰まりや排水異常を招くおそれがあることから、ドレンパン１９に対し随時メンテナンスを行なうことが有用である。
【００３０】
このため、本実施形態ではドレンパン１９のメンテナンスを行なうべく、まず機器本体１の正面たる前面下部に例えばネジ止めされた前カバー１ａを取り外す。これにより、前面下部は開口し、該開口部２６から後方（奥側）に配置されたヒートポンプ機構１２を確認でき、従って図１に示す如く開口部２６から熱交換器１７を正面視することができる。そこで、チューブ管３０を吸込み管２８，２９のいずれか一方に移動させて、吸込み管２８，２９の連結状態を解除する。この結果、機器本体１の底部にヒートポンプケース１８を介して固定されユニット化されたヒートポンプ機構１２およびドレンポンプ２０に対し、ドレンパン１９は単体でスライド移動が可能な状態となる。
【００３１】
よって、図２に示す把持部３１を掴み前方側に引っ張ることで、レール部２４をフランジ部２５がスライド移動し、この場合、ドレンパン１９は下方に突出した凹所２２に対し切欠部２７により当接することが免れ、前方に容易に引き出すことができ、機器本体１前面下部の外された前カバー１ａの正面開口部２６から外部に取り出すことができる。
【００３２】
取り出したドレンパン１９は、点検清掃するなど必要なメンテナンスを行なった後、上記とは逆の手順で組込めばよい。以下、簡単に説明するとドレンパン１９を開口部２６から挿入し、フランジ部２５をレール部２４に嵌め込み後方（奥側）にスライド移動し、所定位置まで収容する。この所定位置は、ドレンパン１９側の吸込み管２８の開口端が、ドレンポンプ２０側の吸込み管２９開口端と対向する位置に設定してあって、その所定位置まで移動したとき、例えばそれ以上ドレンパン１９の後方への移動を規制するストッパ（図示せず）を設けることよって容易に可能である。
【００３３】
そして所定位置において、例えばドレンポンプ２０の吸込み管２９側に保持していたチューブ管３０を、ドレンパン１９側の吸込み管２８にも嵌合接続することで、両吸込み管２８，２９は水密に連結した状態に復帰する。後は、開口部２６を前カバー１ａで閉鎖するように取り付けて終了する。
【００３４】
以上説明した実施形態の洗濯乾燥機によれば、乾燥手段としてヒートポンプ機構１２を採用し、該ヒートポンプ機構１２は衣類を収容した槽体３に温風を供給すべく循環ダクト６の通風路中に配置され熱交換器１７として機能する凝縮器１３および蒸発器１４を具備し、少なくともこの熱交換器１７を収容し一体構成（ユニット化）とするヒートポンプケース１８を設けるとともに、このヒートポンプケース１８に前記熱交換器１７で生じた除湿水を受けるドレンパン１９を水平方向（横方向）に着脱可能な構成とした。
【００３５】
これにより、ドレンパン１９の点検や清掃などのメンテナンスを可能とし、ドレンポンプ２０のポンプ詰まりや排水異常を招くことなく長期安定した状態で使用可能である。また、本実施形態では具体的には、機器本体１の前面下部に形成した開口部２６に着脱可能な前カバー１ａを設けた構成としたので、随時開口部２６からドレンパン１９を取り出すことができ、しかもレール部２４をスライド移動する構成としたので該開口部２６からの着脱作業は一層容易にできる。
【００３６】
さらには、ドレンパン１９とドレンポンプ２０とを連結する各吸込み管２８，２９は、チューブ管３０にて分離可能に連結する構成としたので、ドレンパン１９を単独で着脱できる。また、一般的にこの種洗濯乾燥機の設置状態は、通常前方側（正面側）は塞がれたり障害物はないので、洗濯乾燥機を設置位置から動かすことなくドレンパン１９の着脱作業が容易にできる点でも有利である。
【００３７】
ただし、開口部２６は機器本体１の前面に限らず、例えば左右のいずれかの側面に形成してもよい。この場合、ヒートポンプ機構１２は図４に示すように重量やスペースの有効活用、さらには槽体３の背面側から温風を供給する等の事情により機器本体１の底部で且つ後方（奥側）領域に配置されることが望ましいことから、ヒートポンプ機構１２の近くに開口部を設けることが可能となり、つまりドレンパン１９の着脱作業を外部から近い距離のもとで可能となり着脱作業を一層容易にする利点が期待できる。
【００３８】
（変形例）
上記実施形態では、ドレンパン１９とドレンポンプ２０との各吸込み管２８，２９を、チューブ管３０にて分離可能に連結する構成としたが、これに限らず、例えば図５に示す連結構造に変形して実施することも可能である。すなわち、図示しないドレンポンプ側の固定状態の吸込み管３３に対して、ドレンパン側の吸込み管３２をスライド移動することで直接連結する構成としたものである。
【００３９】
具体構成として、例えばドレンパン側の吸込み管３２の連結端部は、先細テーパ状をなす嵌合部３２ａを設け、他方のドレンポンプ側の吸込み管３３の連結端部は、拡開テーパ状をなす被嵌合部３３ａを設け、両テーパ角度を同一とし水密に嵌合し得る構成としている。そして、図中矢印で示すドレンパンの移動方向において、上記嵌合部３２ａが被嵌合部３３ａに嵌合する配置構成とすることで、両吸込み管３２，３３を分離可能に連結できるようにしたものである。
【００４０】
これによれば、ドレンパンの着脱作業にあって、両吸込み管３２，３３による着脱作業は実質的に不要となり、それだけ作業性を改善できる。なお、両吸込み管３２，３３が嵌合する位置決め（所定位置）は、上記実施形態と同様にドレンパンをレール構造にてスライド移動する構成とすることで容易に可能であり、また必要に応じてドレンパンを所定位置に仮保持（容易に移動しない程度）できるように適宜のストッパ手段を設けることも容易に可能である。
【００４１】
なお、上記実施形態では吸込み管同士を分離可能に連結し、もってドレンパン１９とドレンポンプ２０とを離脱できるようにしたが、例えばドレンポンプ２０に直接ドレンパン側の吸込み管を分離可能に連結する構成としてもよい。
【００４２】
（第２の実施形態）
上記第１の実施形態に対し、図６および図７は第２の実施形態を示すもので、上記実施形態と実質的に同一部分には同一符号を付して説明を省略し、異なる点につき詳細に述べる。まず、図６は図１相当図で、上記実施形態と異なる点は、吸込み管３７を有するドレンポンプ３６を着脱可能なドレンパン１９側に設けた点にある。
【００４３】
すなわち、ドレンパン１９は上記した如くスライド移動する構成にあって、上記ドレンポンプ３６をドレンパン１９の垂直な側壁を利用して取付固定したものである。従って、ドレンパン１９をスライド移動によりヒートポンプケース１８より分離し外部に取り出すことで、上記実施形態と同様にドレンパン１９のメンテナンスができるとともに、同時にドレンポンプ３６も取り出されることからドレンポンプ３６および吸込み管３７に対するメンテナンスも併せて行なうことができる。
【００４４】
なお、ドレンポンプ３６をドレンパン１９とともに着脱可能とするため、その給電手段としては、例えば図７に示すように電気的に接続および断路するコンセント・プラグ手段により容易に可能である。例えば、本実施形態ではドレンポンプ３６側にプラグ部材３８を設け、このプラグ部材３８の図中矢印で示す移動方向（ドレンパン１９と同じ移動方向）に対向してコンセント部材３９を設ける。
【００４５】
上記コンセント部材３９は、例えばヒートポンプケース１８の底部１８ａの一部を下方に折曲した取付片４０に設け、ドレンパン１９の所定位置であるプラグ部材３８の移動ストロークに対応してコンセント部材３９と接続可能な配置とすればよい。従って、ドレンパン１９は既述の如くレール部２４にガイドされてスライド移動するため、これらプラグ部材３８およびコンセント部材３９との電気的接続は容易に可能である。
【００４６】
（第３の実施形態）
上記第１の実施形態に対し、図８は第３の実施形態を示す図４相当図で、上記実施形態と実質的に同一部分には同一符号を付して説明を省略し、異なる点につき詳細に述べる。
上記実施形態と同様にヒートポンプ機構１２は機器本体１の後方（奥側）の底部に配置されており、該ヒートポンプ機構１２を構成するうちの熱交換器１７の下方には、蒸発器１４などから滴下する水滴（除湿水）を受ける矩形皿状の水受けカバー４１を設けている。この水受けカバー４１は、底部４１ａが前方（正面側）に下降傾斜しており、且つその最低部位に排水口４１ｂが形成されている。従って、水受けカバー４１で受けた除湿水は、下降側である排水口４１ｂに向かって常に流れる構成としている。
【００４７】
上記排水口４１ｂには、伸縮自在な蛇腹状の排水管４２の一端が接続され、前方に傾斜しつつ伸びた他端がドレンパン４３に連通接続されている。このドレンパン４３は、機器本体１の底部側の静止部位（図示せず）に配置され、水を貯留可能な中空容器状をなすとともに、その側壁にドレンポンプ４４を設け、ドレンパン４３内の水を排出可能としている。なお、詳細な説明は省略するが、ドレンパン４３の上面側には着脱可能な蓋体４３ａを備え、蓋体４３ａを取り外すことでドレンパン４３内部の点検清掃を可能としている。
【００４８】
上記構成において、乾燥運転時には熱交換器１７から滴下した除湿水は水受けカバー４１に集めるように受け止められるとともに、排水管４２を介して直ちにドレンパン４３側に流入する。除湿水は、このドレンパン４３に一時的に貯留された後、図示しない制御装置によりドレンポンプ４４が駆動制御されることで外部に排出される。
【００４９】
斯かる構成によれば、ヒートポンプ機構１２を構成する熱交換器１７を機器本体１内の後方に配置するのに対し、除湿水を貯留しドレンポンプ４４にて排出可能とするドレンパン４３は排水管４２を介して機器本体１の前方に配置される。このため、前カバー１ａを取り外すことで該開口部２６を通してドレンパン４３のメンテナンスが容易に可能となる。従って、ヒートポンプ機構１２の後方配置などに制約受けることなくドレンパン４３のメンテナンスが実施できる。しかも、ドレンパン４３を機器本体１の底部側からスライド移動など着脱容易な構成とすれば、ドレンパン４３をさらに前方位置まで引き出してメンテナンスが可能となることから、その作業性の一層の向上が期待できる。
【００５０】
なお、上記した各実施形態では、槽体として横軸周りのドラムを備えたドラム式の洗濯乾燥機に適用して述べたが、これに限らず、例えば縦軸周りに回転可能な回転槽とその外周囲に設けた水槽からなる槽体を備えた縦軸型の洗濯乾燥機にも適用可能であるなど、槽体の形態に係らず広く転用可能である。
【００５１】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略，置き換え、変更を行うことができる。これら実施形態やその変形は、発明の範囲や要旨に含まれるとともに、特許請求の範囲に記載された発明とその均等の範囲に含まれる。
【符号の説明】
【００５２】
図面中、１は機器本体、１ａは前カバー、３は槽体、６は循環ダクト、１０は熱交換ダクト、１２はヒートポンプ機構、１３は凝縮器、１４は蒸発器、１７は熱交換器、１８はヒートポンプケース、１９，４３はドレンパン、２０，３４，３６，４４はドレンポンプ、２４はレール部、２６は開口部、２８，２９，３２，３３，３５，３７は吸込み管、および４１は水受けカバーを示す。
【図１】
2014150997.tif 000003
【図２】
2014150997.tif 000004
【図３】
2014150997.tif 000005
【図４】
2014150997.tif 000006
【図５】
2014150997.tif 000007
【図６】
2014150997.tif 000008
【図７】
2014150997.tif 000009
【図８】
2014150997.tif 000010